(57)【要約】【課題】  停電に見舞われた様々な場所で、或は夜間の工事現場で、誰でもが容易に設置できた上で、操作し易く、手軽に発電効率を上げることができる、ソーラーパネルを用いた安価な移動式照明装置を提供する。【解決手段】  それぞれ台車上に設置された１基又は２基のソーラーパネル、蓄電池、照明灯から成り、前記１基又は２基のソーラーパネルは前記台車上へそれぞれ１本又は２本のソーラーパネル用支柱を介して縦方向及び又は水平方向へ回転調節可能に取り付け、前記１基又は２基の蓄電池は前記ソーラーパネルで発電された電気を蓄電して前記１基又は２基の照明灯を点灯させると共に、前記照明灯は前記台車上へ取り付けた１本又は２本の照明灯用支柱へ上下方向へスライド調節可能、或は縦方向及び又は水平方向へ回転調節可能に取り付けたことで解決した。【選択図】        図１
2012243532.tif 000002
【特許請求の範囲】
【請求項１】
それぞれ台車上に設置されたソーラーパネルと、蓄電池と、照明灯とから成り、前記ソーラーパネルは前記台車上へソーラーパネル用支柱を介して縦方向及び又は水平方向へ回転調節可能に取り付け、前記蓄電池は前記ソーラーパネルで発電された電気を蓄電して前記照明灯を点灯させると共に、前記照明灯は前記台車上へ取り付けた照明灯用支柱へ上下方向へスライド調節可能、或は縦方向及び又は水平方向へ回転調節可能に取り付けたことを特徴とする、移動式照明装置。
【請求項２】
それぞれ台車上に設置された各一対ずつのソーラーパネルと、蓄電池と、照明灯とから成り、前記各ソーラーパネルは前記台車上へ一対のソーラーパネル用支柱を介してそれぞれ縦方向及び又は水平方向へ回転調節可能に取り付け、前記各蓄電池は前記各ソーラーパネルで発電された電気を蓄電して前記各照明灯を点灯させると共に、前記各照明灯は前記台車上へ取り付けた一対の照明灯用支柱へそれぞれ上下方向へスライド調節可能、或は縦方向及び又は水平方向へ回転調節可能に取り付けたことを特徴とする、移動式照明装置。
【請求項３】
前記台車にはさらに、その周囲に転倒防止手段を設けたことを特徴とする、請求項１又は２に各記載の移動式照明装置。
【請求項４】
前記ソーラーパネルを縦方向へ回転調節可能に取り付ける手段は縦方向回転調節手段であり、この縦方向回転調節手段は、前記ソーラーパネルの下面より突設した取付片と、この取付片を前記ソーラーパネル用支柱の上部に水平回転調節可能に取り付けた２叉状の保持部材と、前記ソーラーパネルを保持部材の一対の保持腕へ回転可能に取り付ける調節ナット付きの支持シャフトと、一対の保持腕に設けたガイド溝と、このガイド溝と係合して取付片に取り付けられたガイド用の締付ボルトと、で構成したことを特徴とする、請求項１又は２に記載の移動式照明装置。
【請求項５】
前記ソーラーパネルを水平方向へ回転調節させる手段は水平回転調節手段であり、この水平回転調節手段は、保持部材の下部に設けたところのソーラーパネル用支柱の上端側に被せた筒状の取付筒体と、この取付筒体の外側に取り付けた複数の締付ネジと、で構成したことを特徴とする、請求項１又は２に記載の移動式照明装置。
【請求項６】
前記照明灯を上下方向へ移動調節させる手段は上下方向調節手段であり、この上下方向調節手段は、照明灯用支柱を構成する台車上に立設固定されたところの下部支持部と、この下部支持部の上下方向の位置に対して軸心を共通として取り付けられた一対の上部保持パイプ及び下部保持パイプと、この上部保持パイプ及び下部保持パイプへ挿通させたパイプ状の上部支持部材と、上部保持パイプに取り付けられた上部支持部材を上部保持パイプへ固定させる締付ネジと、上部保持パイプと上部支持部材を貫通している連結ピンと、で構成したことを特徴とする、請求項１又は２に記載の移動式照明装置。
【請求項７】
前記照明灯を縦方向へ回転調節させる手段は縦方向回転調節手段であり、この縦方向回転調節手段は、上部支持部材の上端部へ取り付けた保持部材の一対の保持腕と、この保持腕の間に前記照明灯を挟んで固定する締付ネジと、で構成したことを特徴とする、請求項１又は２に記載の移動式照明装置。
【請求項８】
前記照明灯を水平方向へ回転調節させる水平回転調節手段は、保持部材の基部を上部支持部材の上端へ固定させる締付ネジで構成したことを特徴とする、請求項１又は２に記載の移動式照明装置。
【発明の詳細な説明】
【技術分野】
【０００１】
本発明は、主としてソーラーパネルからの電気を用いて適宜場所を移動させて照明を行うことの出来る移動式照明装置に関する。
【背景技術】
【０００２】
今年の３月１１に見舞われた、東北関東大震災は、電力の供給を電力会社に大きく依存する従来の電力の供給システムに大きな警鐘と教訓をもたらした。今後、原子力発電に依存しづらい状況の中、電力の供給能力に不足を来たす事態が生じる恐れがあり、また、地震や津波、洪水時に大規模な停電が発生した際には夜間暗闇の中でなす術もないことも実証された。
【０００３】
このような状況の中、商用電源だけに頼らない、公害や騒音を出さない自然力を利用した手軽な照明装置が求められている。自然力を利用するものの中でも、とくにソーラーパネルを用いた移動式照明装置は、緊急時に容易に利用できる照明装置として有望である。
【０００４】
従来、このようなソーラーパネルを利用した移動式照明装置として、下記する特許文献１に記載されたものが公知である。
【先行技術文献】
【特許文献】
【０００５】
【特許文献１】特開２００６−３５１４８６号公報
【発明の概要】
【発明が解決しようとする課題】
【０００６】
この特許文献１に記載された移動式照明装置は、停電時や地震や津波、洪水などの被災地で、主として夜間の工事現場で用いるのに適した騒音の少ない照明装置を得ることを目的とし、そのために移動式の機器本体上へソーラーパネルと、蓄電池と、照明灯とを取り付けたものであるが、主として工事現場用のものであるので、手軽さ、購入価格の安価さ、操作のし易さ、発電効率を上げる工夫のし易さ、設置のし易さ、といった点で問題点のあるものであった。
【０００７】
本発明は上記問題点について改良を加えたもので、停電に見舞われた様々な場所で、或は夜間の工事現場で、誰でもが容易に設置できた上で、操作し易く、手軽に発電効率を上げることができる、ソーラーパネルを用いた安価な移動式照明装置を提供せんとするにある。
【課題を解決するための手段】
【０００８】
上述した目的を達成するために本発明は、請求項１発明にあっては、それぞれ台車上に設置されたソーラーパネルと、蓄電池と、照明灯とから成り、前記ソーラーパネルは前記台車上へソーラーパネル用支柱を介して縦方向及び又は水平方向へ回転調節可能に取り付け、前記蓄電池は前記ソーラーパネルで発電された電気を蓄電して前記照明灯を点灯させると共に、前記照明灯は前記台車上へ取り付けた照明灯用支柱へ上下方向へスライド調節可能、或は縦方向及び又は水平方向へ回転調節可能に取り付けたことを特徴とするものである。
【０００９】
また、請求項２発明にあっては、それぞれ台車上に設置された各一対ずつのソーラーパネルと、蓄電池と、照明灯とから成り、前記各ソーラーパネルは前記台車上へ一対のソーラーパネル用支柱を介してそれぞれ縦方向及び又は水平方向へ回転調節可能に取り付け、前記各蓄電池は前記各ソーラーパネルで発電された電気を蓄電して前記各照明灯を点灯させると共に、前記各照明灯は前記台車上へ取り付けた一対の照明灯用支柱へそれぞれ上下方向へスライド調節可能、或は縦方向及び又は水平方向へ回転調節可能に取り付けたことを特徴とするものである。
【００１０】
本発明はさらに、上記請求項１と２発明において、前記台車の周囲に転倒防止手段を設けたことを特徴とする。
【００１１】
本発明はさらに、上記請求項１と２発明において、前記ソーラーパネルを縦方向へ回転調節可能に取り付ける手段は縦方向回転調節手段であり、この縦方向回転調節手段は、前記ソーラーパネルの下面より突設した取付片と、この取付片を前記ソーラーパネル用支柱の上部に水平回転調節可能に取り付けた２叉状の保持部材と、前記ソーラーパネルを保持部材の一対の保持腕へ回転可能に取り付ける調節ナット付きの支持シャフトと、一対の保持腕に設けたガイド溝と、このガイド溝と係合して取付片に取り付けられたガイドピンと、で構成したことを特徴とする。
【００１２】
本発明はさらに、上記請求項１と２発明において、前記ソーラーパネルを水平方向へ回転調節させる手段は水平回転調節手段であり、この水平回転調節手段は、保持部材の下部に設けたところのソーラーパネル用支柱の上端側に被せた筒状の取付筒体と、この取付筒体の外側に取り付けた複数の締付ネジと、で構成したことを特徴とする。
【００１３】
本発明はさらに、上記請求項１と２発明において、前記照明灯を上下方向へ移動調節させる手段は上下方向調節手段であり、この上下方向調節手段は、照明灯用支柱を構成する台車上に立設固定されたところの下部支持部と、この下部支持部の上下方向の位置に対して軸心を共通として取り付けられた一対の上部保持パイプ及び下部保持パイプと、この上部保持パイプ及び下部保持パイプへ挿通させたパイプ状の上部支持部材と、上部保持パイプに取り付けられた上部支持部材を上部保持パイプへ固定させる締付ネジと、上部保持パイプと上部支持部材を貫通している連結ピンと、で構成したことを特徴とする。
【００１４】
そして、本発明は、上記請求項１と２発明において、前記照明灯を縦方向へ回転調節させる手段は縦方向回転調節手段であり、この縦方向回転調節手段は、上部支持部材の上端部へ取り付けた保持部材の一対の保持腕と、この保持腕の間に前記照明灯を挟んで固定する締付ネジと、で構成したことを特徴とする。
【発明の効果】
【００１５】
本発明は以上のように構成したので、現場でソーラーパネルを動かすことにより、当該ソーラーパネルを太陽の方向へ向けたり、照明灯を動かして設置場所の状況に拘わらず、必要な方向へ光を向けることができる上に、構成をできる限りに簡単にして操作し易く、かつ、停電に見舞われた様々な被災地や工事現場へ安価に提供できるものである。本発明のさらなる効果はさらに以下の説明から明らかになる。
【図面の簡単な説明】
【００１６】
【図１】本発明に係る移動式照明装置の側面図である。
【図２】図１に示した移動式照明装置の正面図である。
【図３】図１に示した移動式照明装置のやや拡大させた平面図である。
【図４】図１に示した移動式照明装置の背面図である。
【図５】本発明に係る転倒防止手段の説明図である。
【図６】本発明に係るソーラーパネルの取付部分の構成を説明する拡大一部断面図である。
【図７】本発明に係るソーラーパネルの取付部分の構成を説明する他の角度から見た拡大一部断面図である。
【図８】本発明に係る照明灯の取付部分の構成を示す一部拡大断面図である。
【図９】本発明に係る移動式照明装置の他の実施例を示す側面図である。
【図１０】図９に示した移動式照明装置の正面図である。
【図１１】図９に示した移動式照明装置の平面図である。
【図１２】図９に示した移動式照明装置の背面図である。
【発明を実施するための形態】
【００１７】
以下に本発明を実施するための最良の形態の移動式照明装置ＡとＢを図面に基づいて説明するが、本発明を実施するための最良の形態は、移動式照明装置Ａにあっては、それぞれ台車上に設置されたソーラーパネルと、蓄電池と、照明灯とから成り、前記ソーラーパネルは前記台車上へソーラーパネル用支柱を介して縦方向及び又は水平方向へ回転調節可能に取り付け、前記蓄電池は前記ソーラーパネルで発電された電気を蓄電して前記照明灯を点灯させると共に、前記照明灯は前記台車上へ取り付けた照明灯用支柱へ上下方向へスライド調節可能、或は縦方向及び又は水平方向へ回転調節可能に取り付けたことを特徴とするものであり、また、移動式照明装置Ｂにあっては、それぞれ台車上に設置された各一対ずつのソーラーパネルと、蓄電池と、照明灯とから成り、前記各ソーラーパネルは前記台車上へ一対のソーラーパネル用支柱を介してそれぞれ縦方向及び又は水平方向へ回転調節可能に取り付け、前記各蓄電池は前記各ソーラーパネルで発電された電気を蓄電して前記各照明灯を点灯させると共に、前記各照明灯は前記台車上へ取り付けた一対の照明灯用支柱へそれぞれ上下方向へスライド調節可能、或は縦方向及び又は水平方向へ回転調節可能に取り付けたことを特徴とするものである。
【実施例１】
【００１８】
図面によれば図１乃至図８において、指示記号１で示したものは全体として平面矩形状を呈した台車であり、その下面の４角にはキャスター付きの車輪２が取り付けられている。台車１は、３本の大小の断面矩形状を呈した角パイプ材３、４、５の各端部を例えば断面矩形状を呈した連結部材６、６で連結して成るもので、安価かつ強固に製造できる構成である。また、角パイプ材３、４、５は、中央の角パイプ材４が幅広に構成してある。台車１の長さの短い側の両側４角からは、台車１を安定させるための４組の転倒防止手段７が取り付けられており、これらの各転倒防止手段７は、前後の各連結部材６、６の両端部に対して伸縮可能に取り付けた４本の幅調節部材７ａと、これらの幅調節部材７ａに対し直交する上下方向へ当該幅調節部材７ａに設けた図示してない雌ネジ孔へ高さ調節可能に取り付けた雄ネジから成る補助脚部７ｂから成り、各幅調節部材７ａには、連結部材６、６に設けたガイド長孔６ａを介して当該幅調節部材７ａへ取り付けた締付ネジ７ｃが取り付けられると共に、補助脚部７ｂにはその先端に踏張り用の円盤部材７ｄが回転可能に取り付けられている。
【００１９】
尚、台車１上には台板等を取り付けることが好ましいが、この台板を省略すると、製作コストを下げることができる。また、転倒防止手段７は、これがあると足場の悪い場所や傾斜地でも安定して台車を設置できるが、さらに安価に製造しようとすれば、これを省略することは可能である。さらに、各車輪２はこれをブレーキ付きとすることが安定した設置のために好ましい。台車１の材料はスチール材に亜鉛メッキをし、その上に塗装を施してあるが、可能な限りＳＵＳを用いることが好ましい。
【００２０】
ソーラーパネル８そのものは公知構成のものであるが、台車１上に、正確には台車１を構成する中央の角パイプ材４の上に、筒状のソーラーパネル用支柱９を介して縦方向へ回転可能かつ水平方向へ回転可能に取り付けられている。さらに詳しくは、ソーラーパネル８を縦方向へ回転調調節可能に取り付ける縦方向回転調節手段ａは、ソーラーパネル８の下面より突設した取付片８ａと、この取付片８aをソーラーパネル用支柱９の上部に水平回転調節可能に取り付けた２叉状の保持部材１０と、ソーラーパネル８を保持部材１０の一対の保持腕１０ａ、１０ａへ回転可能に取り付ける調節ナット１１ａ付きの支持シャフト１１と、一対の保持腕１０ａ、１０ａに設けたガイド溝１０ｂ、１０ｂ（一方のみ表示）と、このガイド溝１０ｂ、１０ｂと係合して取付片８ａに取り付けられたガイド用の締付ボルト１２とで構成されている。尚、ガイド溝は取付片８ａの側に設けても良い。その場合にはこのガイド溝は保持腕に設けた締付ボルトと係合することになる。また、取付片８ａ側に一対の保持片を設け、この一対の保持片を板状の保持部材へ縦方向へ回転可能に設けても良い。
【００２１】
次にソーラーパネル８をソーラーパネル用支柱９へ水平回転調節可能に取り付ける水平回転調節手段ｂは、保持部材１０の下部に設けたところのソーラーパネル用支柱９の上端側に被せた筒状の取付筒体１３と、この取付筒体１３の外側に取り付けた複数の締付ボルト１４、１４、・・・とで構成されている。尚、取付筒体１３は、筒状のソーラーパネル用支柱９の上端部へ挿入させる構成であってもよい。この場合には締付ボルトはソーラーパネル用支柱９の側に設けられることになろう。
【００２２】
このようにしてソーラーパネル８は、実施例のものにおいて、縦方向かつ水平方向へ回動調節可能である。尚、ソーラーパネル８を水平方向へ回転させる水平回転調節手段ｂは、これがあると、台車１を動かさなくとも日中天空を移動して行く太陽の方向へソーラーパネル８を容易に向け易いが、製造コストを下げようと思えば省略することは可能である。しかし、ソーラーパネル８を縦方向へ回転させる縦方向回転調節手段ａは、設置場所や季節によって太陽光の入射角度が異なるので、発電効率を上げようとすれば必要な手段である。
【００２３】
次に、照明灯１５は、光源として例えばＬＥＤランプ使用のもので、台車１の中央の角パイプ材４の後端部側に照明灯用支柱１６を介して、上下方向へ移動可能、かつ縦方向へ回動可能、さらに水平方向へ回転可能に取り付けられている。さらに詳しくは、照明灯を上下方向へ移動させる上下方向調節手段ｃは、照明灯用支柱１６を構成する台車１上に立設固定されたところの下部支持部１６ａと、この下部支持部１６ａの上下方向の位置に対して軸心を共通として取り付けられた一対の上部保持パイプ１６ｂ及び下部保持パイプ１６ｃと、この上部保持パイプ１６ｂ及び下部保持パイプ１６ｃへ挿通させたパイプ状の上部支持部材１７と、上部保持パイプ１６ｂに取り付けられた上部支持部材１７を上部保持パイプ１６ｂへ固定させる締付ネジ１８と、上部保持パイプ１６ｂと上部支持部材１７を貫通している連結ピン１９で構成されており、上部支持部材１７の上端に照明灯１５が取り付けられている。照明灯１５の高さ調節は、連結ピン１９を抜き取り、締付ネジ１８を緩めて上部支持部材１７の高さを調節し、連結ピン１９を上部支持部材１７に設けた複数の調節孔１７ａのどれかに差し込んだ後、締付ネジ１８で締め付けて上部支持部材１７を常備保持パイプ１６ｂへ固定させることによって行なうことができる。尚、連結ピン１９は、締付ネジ１８の締付力を強くするか、他の堅固な固定手段を用いた場合には省略できる。但し、実施例のものは安価に製造できる利点がある。
【００２４】
照明灯１５を縦方向へ回転させる縦方向回転調節手段ｄは、上部支持部材１７の先端に回転調節可能に取り付けた２叉状の保持部材２０であり、この保持部材２０の一対の保持腕２０ａ、２０ａに調節ナット２０ｂ、２０ｂを介してその両側を保持させることにより、調節ナット２０ｂ、２０ｂを緩めたり締め付けたりすることによって、照明灯１５の縦方向の回転調節が行われるように構成されている。照明灯１５を水平方向へ回転調節させる水平回転調節手段ｅは、保持部材２０の基部２０ｃを上部支持部材１７の上端へ固定させる締付ネジ２１であり、この締付ネジ２１を緩めたり、締め付けたりすることによって、照明灯１５を水平方向へ回転調節することができる構成となっている。尚、この水平回転調節手段ｅは、製作コストを下げる為にこれを省略することが可能であるが、この水平回転調節手段ｅがあると、照明灯１５の照明方向の微調節が可能であるという利点がある。
【００２５】
ソーラーパネル８のソーラーパネル用支柱９と、照明灯１５の照明灯用支柱１６の間に照明灯用支柱１６の側へ位置させて、台車１の中央の角パイプ材４の上に例えばリチウム電池使用の蓄電池２２が、収容ケース２２ａを介して取り付けられている。この蓄電池２２の収容ケース２２ａは、さらにその上端部側を固定部材２３を介して照明灯１５の照明灯用支柱１６の下部支持部１６ａへ固着されている。
【００２６】
さらに、台車１の照明灯１５の照明灯用支柱１６側一端部には、手押し部２４が取り付けられている。導線は図示してないが、ソーラーパネル８から蓄電池２２へ、蓄電池２２から照明灯１５へ可及的に外部へ露出することなく配線されている。
【００２７】
したがって、本発明に係る移動式照明装置Ａを設置場所或は現場まで、車両などを用いて運んで行き、降ろした後手押し部２４を用いて設置場所或は現場へ移動させ、設置場所或は現場が決まったところで、転倒防止手段７を用いて安定させる。勿論、この際に車輪は図示してない公知のブレーキ手段を用いて固定させておくことが望ましい。
【００２８】
その後、ソーラーパネル８の傾斜角度或は傾斜方向を縦方向回転調節手段ａや水平回転調節手段ｂを用いて調節し、同時に照明灯１５の高さや、傾斜角度、照明方向を、上下方向調節手段ｃや、縦方向回転調節手段ｄ及び水平回転調節手段ｅ等を用いて調節する。尚、この照明灯１５の位置調節は、夜間において点灯の後に調節しても良い。このようにして設置すると、ソーラーパネル８は、太陽の方向に受光効果の上がる方向にセットされ、光電効果により出力された電気は蓄電池２２へ充電される。夜間に周囲が暗くなると、点灯スイッチをＯＮさせると、蓄電池２２に充電されている電気で照明灯を点灯させ、周囲を明るく照らすことができるものである。
【実施例２】
【００２９】
図９乃至図１２は、本発明に係る移動式照明装置の他の実施例を示す。この実施例２に係る移動式照明装置Ｂは、基本的な構成は実施例１と同じであるが、照明灯が２基ある点で、実施例１に係る移動式照明装置Ａのものとは異なる。
【００３０】
詳しく説明すると、４個の車輪３１付きの台車３０は、角パイプ材３２と角パイプ材３３を前後方向に配置し、その両側部と中央部を連結部材３４、３５、３６で連結した平面略矩形状のもので、前部側の角パイプ材３２上に所定間隔を空けて立設並置した一対のソーラーパネル用支柱３７、３８を介してそれぞれのソーラーパネル用支柱３７、３８上に一対のソーラーパネル３９、４０が縦方向及び水平方向へ回転調節可能に取り付けられている。その取付手段である縦方向回転調節手段ｆと水平回転調節手段ｇについては、それぞれソーラーパネル用支柱３７、３８に対応して一対設けられているが、その構成は実施例１の縦方向回転調節手段ａと水平回転調節手ｂものと同じであるので説明を省略する。各々縦方向で分離された２基のソーラーパネル３９、４０の内、一方のソーラーパネル３９が２基ある照明灯４１、４２の一方の照明灯４１用のものであり、他方のソーラーパネル４０が残されたもう一方の照明灯４２用のものである。
【００３１】
台車３０上のソーラーパネル用支柱３７、３８を設置した側とは反対側に位置して、角パイプ材３３上に一対の照明灯用支柱４３、４４が所定間隔を空けて立設並置されており、この照明灯用支柱４３、４４の上端部に各照明灯４１、４２が上下方向へスライド調節可能、傾斜角度調節可能、さらに水平方向へ回転調節可能に取り付けられている。各照明灯用支柱４３、４４の構成、及び各照明灯４１、４２を上下方向へスライドさせる上下方向調節手段ｈと、縦方向回転調節手段ｉ、さらに水平回転調節手段ｊはそれぞれ一対ずつ設けられているが、それらの各構成は、実施例１の上下方向調節手段ｃと、縦方向回転調節手段ｄ、さらに水平回転調節手段ｅと同じであるので、説明を省略する。
【００３２】
ソーラーパネル用支柱３７、３８と照明灯用支柱４３、４４の間で、照明灯用支柱４３、４４側に位置して一対の蓄電池４５、４６が収納ケース４５ａ、４６ｂ内に収容されて台車３０を構成する角パイプ材３３上に並置固定されている。
【００３３】
この蓄電池４５、４６はそれぞれ一対の照明灯用のものであり、このように、２基ある照明灯４１、４２は、それぞれに専用のソーラーパネル３９或は４０と蓄電池４５或は４６を有している。尚、指示記号４７で示したものは手押し部である
【００３４】
そして、台車３０の照明灯用支柱４３、４４を設けた側の端部には、手押し部４７が設けられている。尚、この実施例２では、実施例１での転倒防止手段７を省略してあるが、この転倒防止手段を設けることは、任意であり、この転倒防止手段があると、移動用点灯装置の使用場所或は現場の足場が悪かったり傾斜している場合でも、台車３０の設置が安定する利点を有する。
【００３５】
以上のように実施すると、２基の照明灯４１、４２は、それぞれに電気を供給するソーラーパネル３９、４０と蓄電池４５、４６を有し、それぞれに電源の供給を受けて点灯するので、照明灯が１基の場合よりも明るく照明することが可能である。
【００３６】
その他の実施例として、台車３０の構成は、実施例２のように構成すると、安価に堅固かつ安価に製造できる利点を有するが、実施例のものに限定されるものではなく、他の台板を用いた公知構成のものに代えることができる。さらに、ソーラーパネルや照明灯の傾斜角度を調節する縦方向回転調節手段ａとｄ或はｆとｉは、その他の公知構成のもの及び流体シリンダーを用いたものに代えることは可能である。また、ソーラーパネルや照明灯を水平方向へ回転調節する水平回転調節手段ｂやｅ或はｇやｊも実施例のものに限定されず、その他の種々の公知手段に代えることができる。さらに、照明灯を上下方向へスライドさせる上下方向調節手段ｃとｈも、公知の例えばピニオンとラックを用いた上下方向調節手段その他の公知構成のものに代えることができる。但し、以上の各調節手段は実施例１と２のもののように構成すると、制作コストを安価に抑えることができる利点がある。
【産業上の利用可能性】
【００３７】
本発明は以上のように構成したので、地震や洪水、津波等による被災時の停電時に手軽に運んで誰でもが設置、操作して照明を行う移動式の照明装置として、或は夜間における騒音の発生しない移動式照明装置として用いることができるものである。
【符号の説明】
【００３８】
Ａ、Ｂ  移動式照明装置
ａ、ｆ  縦方向回転調節手段
ｂ、ｇ  水平回転調節手段
ｃ、ｈ  上下方向調節手段
ｄ、ｉ  縦方向回転調節手段
ｅ、ｊ  水平回転調節手段
１  台車
７  転倒防止手段
７ｃ  締付ネジ
８  ソーラーパネル
８ａ  取付片
９  ソーラーパネル用支柱
１０  保持部材
１０ａ  保持腕
１０ｂ  ガイド溝
１１  支持シャフト
１１ａ  調節ナット
１２  締付ボルト
１３  取付筒体
１４  締付ボルト
１５  照明灯
１６  照明灯用支柱
１６ａ  下部支持部
１６ｂ  上部保持パイプ
１６ｃ  下部保持パイプ
１７  上部支持部材
１８  締付ネジ
１９  連結ピン
２０  保持部材
２０ａ  保持腕
２０ｂ  調節ナット
２０ｃ  基部
２１  締付ネジ
２２  蓄電池
３０  台車
３７  ソーラーパネル用支柱
３８  ソーラーパネル用支柱
３９  ソーラーパネル
４０  ソーラーパネル
４１  照明灯
４２  照明灯
４３  照明灯用支柱
４４  照明灯用支柱
４５  蓄電池
４６  蓄電池
【図１】
2012243532.tif 000003
【図２】
2012243532.tif 000004
【図３】
2012243532.tif 000005
【図４】
2012243532.tif 000006
【図５】
2012243532.tif 000007
【図６】
2012243532.tif 000008
【図７】
2012243532.tif 000009
【図８】
2012243532.tif 000010
【図９】
2012243532.tif 000011
【図１０】
2012243532.tif 000012
【図１１】
2012243532.tif 000013
【図１２】
2012243532.tif 000014